(57)【要約】【課題】衝撃が加えられた場合に、個々の凹面反射鏡の位置ズレが抑えられる照明器具を提供すること。【解決手段】互いに分離した複数の回転体形状の反射鏡３４と、それぞれの反射鏡３４の基端部３５Ａが結合される筐体１０と、を備え、前記反射鏡３４のそれぞれを円周上に配列し、前記反射鏡３４のそれぞれの先端開口６０の縁部６０Ａを隣の前記反射鏡３４の先端開口６０の縁部６０Ａと当接させた状態で前記筐体１０に結合した。【選択図】図２
2014235821.tif 000002
【特許請求の範囲】
【請求項１】
互いに分離した複数の回転体形状の反射鏡と、
それぞれの反射鏡の基端部が結合される筐体と、を備え、
前記反射鏡のそれぞれを円周上に配列し、前記反射鏡のそれぞれの先端開口の縁部を隣の前記反射鏡の先端開口の縁部と当接させて前記筐体に結合した
ことを特徴とする照明器具。
【請求項２】
前記反射鏡の基端部を前記筐体にねじ込み式で結合し、前記反射鏡のそれぞれの先端開口の縁部には、互いに係合して回転を抑える係合部を設けた
ことを特徴とする請求項１に記載の照明器具。
【請求項３】
前記筐体の背面には、前記反射鏡のそれぞれに対応した位置に放熱フィンを配置したことを特徴とする請求項１又は２に記載の照明器具。
【請求項４】
前記反射鏡を樹脂材から形成したことを特徴とする請求項１〜３のいずれかに記載の照明器具。
【発明の詳細な説明】
【技術分野】
【０００１】
本発明は、複数の反射鏡を備えた照明器具に関する。
【背景技術】
【０００２】
近年、高出力型のＬＥＤを光源に備えた照明器具が広く知られている。
この種の照明器具では、複数のＬＥＤのそれぞれに、回転放物面、又は回転楕円面の凹面反射鏡を設け、それぞれの凹面反射鏡から遠方に向けてＬＥＤの光を照射する器具がある（例えば、特許文献１）。
このような複数個の凹面反射鏡を備える従来の照明器具では、一般に、それぞれの凹面反射鏡が予め一体成形されて構成されている。したがって、照明器具を屋外等で使用した際に、風に煽られたり何らかが衝突する等して器具本体に衝撃が加わったとしても、それぞれの凹面反射鏡の間で相互に位置ズレが生じることは無い。
【先行技術文献】
【特許文献】
【０００３】
【特許文献１】特開２０１２−９２８０号公報
【発明の概要】
【発明が解決しようとする課題】
【０００４】
しかしながら、互いに独立した個々の反射鏡を照明器具に組み付けた場合、器具本体に衝撃が加えられたときに、相互に位置ズレを生じる、という問題がある。
本発明は、上述した事情に鑑みてなされたものであり、衝撃が加えられた場合に、個々の凹面反射鏡の位置ズレが抑えられる照明器具を提供することを目的とする。
【課題を解決するための手段】
【０００５】
上記目的を達成するために、本発明は、互いに分離した複数の回転体形状の反射鏡と、それぞれの反射鏡の基端部が結合される筐体と、を備え、前記反射鏡のそれぞれを円周上に配列し、前記反射鏡のそれぞれの先端開口の縁部を隣の前記反射鏡の先端開口の縁部と当接させて前記筐体に結合したことを特徴とする照明器具を提供する。
【０００６】
また本発明は、上記照明器具において、前記反射鏡の基端部を前記筐体にねじ込み式で結合し、前記反射鏡のそれぞれの先端開口の縁部には、互いに係合して回転を抑える係合部を設けたことを特徴とする。
【０００７】
また本発明は、上記照明器具において、前記筐体の背面には、前記反射鏡のそれぞれに対応した位置に放熱フィンを配置したことを特徴とする。
【０００８】
また本発明は、上記照明器具において、前記反射鏡を樹脂材から形成したことを特徴とする。
【発明の効果】
【０００９】
本発明によれば、反射鏡のそれぞれを円周上に配列し、反射鏡のそれぞれの先端開口の縁部を隣の反射鏡の先端開口の縁部と当接させて筐体に結合した。これにより、衝撃が加えられた場合に、個々の反射鏡がランダムに振れるのが抑えられるから、相互間の位置ズレが抑制される。
【図面の簡単な説明】
【００１０】
【図１】本発明の実施形態に係るスポーツ照明器具の斜視図であり、（Ａ）はスポーツ照明器具を正面上方からみた斜視図、（Ｂ）はスポーツ照明器具を正面下方からみた斜視図である。
【図２】スポーツ照明器具の構成を示す図であり、（Ａ）は正面図、（Ｂ）は右側面図、（Ｃ）は左側面図、及び（Ｄ）は底面図である。
【図３】スポーツ照明器具から背面ガード部材を取り外した状態を示す側面図である。
【図４】スポーツ照明器具の背面ガード部材を開放状態した状態を示す斜視図である。
【図５】器具本体から前面カバーを取り外した状態を示す斜視図である。
【図６】光源モジュールの全体構成を示す斜視図である。
【図７】光源モジュールの分解斜視図である。
【図８】光源モジュールの断面図である。
【図９】反射鏡の分解斜視図である。
【図１０】筐体の背面側の構成を背面ガード部材とともに示す斜視図である。
【図１１】パイプ溝とヒートパイプの係合構造の説明図である。
【図１２】反射鏡と連結体の連結構造の説明図である。
【図１３】背面ガード部材の開閉部をスライド移動により取り外した状態を示す器具本体の背面図である。
【発明を実施するための形態】
【００１１】
以下、図面を参照して本発明の実施形態について説明する。
図１は本実施形態に係るスポーツ照明器具１の斜視図であり、図１（Ａ）はスポーツ照明器具１を正面上方からみた斜視図、図１（Ｂ）はスポーツ照明器具１を正面下方からみた斜視図である。図２はスポーツ照明器具１の構成を示す図であり、図２（Ａ）は正面図、図２（Ｂ）は右側面図、図２（Ｃ）は左側面図、及び図２（Ｄ）は底面図である。
このスポーツ照明器具１は、屋外球技場や屋外競技場を観客席側から照明する照明器具であり、図１、及び図２に示すように、大別して、器具本体２と、取付アーム部４と、電源ボックス６と、背面ガード部材７と、を備えている。
【００１２】
器具本体２は、径に対して深さが浅い有底円筒状の筐体１０と、この筐体１０に設けられる複数（図示例では５個）の光源モジュール１２と、前面カバー１４と、を備えている。光源モジュール１２は、それぞれ発光素子の一例たるＬＥＤを光源に備え、この光源のＬＥＤには、高出力型ＬＥＤの一例たるＣＯＢ型ＬＥＤ３０（図７）が用いられている。
これら複数の光源モジュール１２の光出力は、それらの合計の明るさが照明対象の球技場や競技場で行われるスポーツによって求められる明るさ以上となるように設計されている。なお、このスポーツ照明器具１は、球技場や競技場に限らず、その他の屋外スポーツ施設の照明に用いられ得ることは勿論である。
【００１３】
取付アーム部４は、スポーツ照明器具１を設置面に固定するための取付部材であり、当該器具本体２を回動自在に支持する機能を備える。具体的には、取付アーム部４は、筐体１０を挟むように取り付けられるコ字状の支持フレーム１８を備え、この支持フレーム１８には固定プレート１９が設けられている。固定プレート１９にはボルト孔１９Ａ、及びスイング用スリット１９Ｂが設けられ、各々に固定用のボルトを通して設置面と固定することでスポーツ照明器具１が強固に固定される。スイング用スリット１９Ｂは、ボルト孔１９Ａを中心にした円弧状のスリットであり、これにより、スイング用スリット１９Ｂに沿ってスポーツ照明器具１を回動させて照射方向が調整可能になっている。
【００１４】
また筐体１０の左右両側には、背後に延びる結合片２０が設けられており、これら結合片２０に支持フレーム１８の端部１８Ａが軸支され、筐体１０と支持フレーム１８とが回動自在に結合される。
また取付アーム部４は、結合片２０を回動不能にするストッパ機構２２を支持フレーム１８に備え、このストッパ機構２２により支持フレーム１８に対して筐体１０を所定角度に保持可能になっている。また、結合片２０には、支持フレーム１８の回動軸の周囲に回動角度を示す目盛り２４が付されており、作業者は、設置時に支持フレーム１８と筐体１０の角度を目盛り２４を頼りに正確に合わせられるようになっている。
【００１５】
電源ボックス６は、外部から供給される商用電源の入力を受けて光源モジュール１２のそれぞれの点灯電力を生成する電源回路を内蔵した箱体であり、筐体１０の外側に配置されている。電源ボックス６からは、光源モジュール１２に点灯電力を供給する電力供給線（図示せず）が引き出され、筐体１０の背面中央に設けられた引込部１７（図４）から内部に引き込まれ、それぞれの光源モジュール１２のＣＯＢ型ＬＥＤ３０に結線される。
このスポーツ照明器具１では、電源ボックス６が筐体１０の外に設けられているため、筐体１０を小型化でき、また器具本体２の総重量が軽量になる。特に、このスポーツ照明器具１では、電源ボックス６が取付アーム部４に取り付けられており、支持フレーム１８が支持する器具本体２の総重量が軽量化され、支持フレーム１８と器具本体２の結合部分に加わる負荷が低減されている。
【００１６】
なお、電源ボックス６は、例えばアルミニウム等の軽量で熱伝導性（すなわち放熱性）に優れた材料で形成され、また内部には電源回路を空冷するファン等の冷却機構が必要に応じて設けられている。また取付アーム部４への電源ボックス６の取付態様は図示例に限られるものではない。電源ボックス６をスポーツ照明器具１とは別に独立して設けることもできる。
【００１７】
図３はスポーツ照明器具１から背面ガード部材７を取り外した状態を示す側面図であり、図４はスポーツ照明器具１の背面ガード部材７を開放した状態を示す斜視図である。なお、図３では電源ボックス６の図示を省略し、図４では部材の図示を適宜に省略している。
背面ガード部材７は、筐体１０に取り付けられて、当該筐体１０の背面１５に備えられた各種の構造物２４を保護する部材である。この背面ガード部材７は、図３、及び図４に示すように、筐体１０と略同一の径の筒状部７Ａと、この筒状部７Ａの開口を覆う開閉部７Ｂとを備えている。これら筒状部７Ａ、及び開閉部７Ｂは、細長い多数のガイド棒１１を格子状や放射線状等に組むことで構成され、ボール等の衝突に耐え得る剛性と併せて、十分な通気性が確保されている。また、ガイド棒１１同士の隙間は、鳥が入り込めない程度に狭くされており、鳥の巣等が構造物２４に作られるのを防止している。
この背面ガード部材７には、器具本体２の照射方向を調整する等の際に把持する把持部７Ｈが設けられている。
【００１８】
開閉部７Ｂは、ヒンジ結合部９によって筒状部７Ａに背後方向に開閉自在に結合され、またラッチ機構１３で筒状部７Ａに開閉不能に結合されている。このラッチ機構１３を解除し開閉部７Ｂを開くことで、この背面ガード部材７の全体を取り外さなくとも、背面１５の構造物２４にアクセスしてメンテナンス作業等が行えるようになっている。なお、この開閉部７Ｂは、開閉方向と垂直な方向に筒状部７Ａから取り外し可能に構成されているが、これについては後述する。
【００１９】
次いで、上述の器具本体２の構成について詳述する。
筐体１０は、上述の通り、径に対して深さが浅い有底円筒状を成し、正面の開口が出射口２３として構成されている。この筐体１０は、比重が比較的軽い、いわゆる軽量金属の一種であるアルミニウムから形成されており、電源ボックス６の外付けの構造と併せて、器具本体２の更なる軽量化が図られている。
【００２０】
図５は、器具本体２から前面カバー１４を取り外した状態を示す斜視図である。
前面カバー１４は、筐体１０の出射口２３を覆う透光性部材であり、軽量化、及び、ボール等の衝突による飛散防止のためにポリカーボネート樹脂から形成されている。この前面カバー１４は、出射口２３のフランジ２３Ａにネジ２９（図４）でネジ止めされることで、強固に結合されている。
ここで、筐体１０は、上記のように、軽量化のためにアルミニウムから形成されていることから、前面カバー１４のねじ止め用のネジ孔をフランジ２３Ａに設けた場合にネジ孔の強度が弱すぎる、という問題がある。
この問題を解決するために、フランジ２３Ａを厚くしたり、別の部材を重ね合わせる等してネジ孔の強度を補強することが考え得るが、そうすると製造コストが高くなる、という問題がある。
【００２１】
そこで、このスポーツ照明器具１では、次のようにして係る問題を解決している。
すなわち、図４、及び図５に示すように、筐体１０のフランジ２３Ａにネジ２９に螺合するネジ孔を設けるのではなく、前面カバー１４がネジ止めされるハット型金具２５をフランジ２３Ａに設けることとしている。具体的には、フランジ２３Ａには、出射口２３の周りに所定の間隔で金具挿入孔２６が形成されている。またハット型金具２５は、板状部材の略中央部が突出して成る台座部２５Ａ（図５）を有し、この台座部２５Ａにネジ２９が螺合するネジ孔２５Ｂが形成されている。ハット型金具２５は、フランジ２３Ａの裏面から金具挿入孔２６に台座部２５Ａを挿入して表側に突出させた状態で例えば溶接やネジ止め等で固定される。そして、フランジ２３Ａの表側（正面側）に突出した台座部２５Ａのそれぞれに前面カバー１４がネジ２９でネジ止めされる。これにより、筐体１０の強度が弱くとも、前面カバー１４がハット型金具２５によって筐体１０に強固にネジ止め可能となる。
【００２２】
図６は光源モジュール１２の全体構成を示す斜視図、図７は光源モジュール１２の分解斜視図、また図８は光源モジュール１２の断面図である。
光源モジュール１２は、高出力型のＬＥＤの一例たるＣＯＢ型ＬＥＤ３０を光源に備えたモジュールであり、これらの図に示すように、大別して、ＣＯＢ型ＬＥＤ３０（図７）と、このＣＯＢ型ＬＥＤ３０の基板取付部材たるベースプレート３２と、光制御部材としての反射鏡３４と、放熱部３６と、絶縁パッキン３８と、を備えている。
ＣＯＢ型ＬＥＤ３０は、図７に示すように、多数のＬＥＤをＬＥＤ基板３１の上に密集配置して平面視略円形（四角形も有り得る）の面状の発光部３１Ａを形成したチップオンボード（Ｃｈｉｐ  Ｏｎ  Ｂｏａｒｄ：ＣＯＢ）構造の発光デバイスである。ＣＯＢ型ＬＥＤ３０は、多数のＬＥＤが密集配置されていることから大光量化、及び高輝度化なＬＥＤ光源となる。
【００２３】
ベースプレート３２は、ＣＯＢ型ＬＥＤ３０が直接的に取り付けられる基板取付部材であり、高熱電導材である、例えば金属であるアルミニウムから形成されている。ベースプレート３２は、図７に示すように、略円板状に形成され、その表面３２Ａの中央にＬＥＤ収容凹部４０が設けられており、このＬＥＤ収容凹部４０に上記ＣＯＢ型ＬＥＤ３０のＬＥＤ基板３１が収められ、その上面が透光性シート４５で覆われている。
透光性シート４５は電気的絶縁性を有した樹脂性シートである。後に詳述するが、ベースプレート３２には、ＣＯＢ型ＬＥＤ３０が電気絶縁材等を介さずにＬＥＤ収容凹部４０に直接載置される。
絶縁パッキン３８は、例えば樹脂材等の電気絶縁材から形成され、少なくともベースプレート３２の縁部５６の全周を被覆する部材であり、その詳細については後述する。
なお、ＣＯＢ型ＬＥＤ３０からＬＥＤ収容凹部４０への伝熱を促進するために、両者の接触面に熱伝導グリス等を塗布したり熱伝導シートを介在させて両者間の熱抵抗を小さくしても良い。
【００２４】
ベースプレート３２の表面３２Ａには、ＬＥＤ収容凹部４０を囲む環状の反射鏡固定具４２がネジ止め固定され、この反射鏡固定具４２に反射鏡３４が固定される。この反射鏡固定具４２は、ベースプレート３２へのネジ止め固定に伴い、ＣＯＢ型ＬＥＤ３０のＬＥＤ基板３１、及び透光性シート４５を上から押さえ付けるように構成されている。これにより、反射鏡固定具４２の固定によってＣＯＢ型ＬＥＤ３０の固定も兼ねられることとなり、ベースプレート３２へのＣＯＢ型ＬＥＤ３０のネジ止め固定等が不要となる。
【００２５】
反射鏡３４は、回転放物体や回転楕円体などの回転体形状であり、その内面に所定の配光制御に応じて決定された回転放物反射面や回転楕円反射面が形成さ凹面鏡である。この反射鏡３４は、樹脂材を母材とし、その表面に反射材をコーティングすることで構成されており、金属材から形成する場合に比べて軽量化が図られている。
また、この反射鏡３４は、ねじ込み式で上記反射鏡固定具４２に取付固定される。具体的には、反射鏡３４の基端部３５Ａの縁部には、反射鏡固定具４２に係合する鍔部３３が設けられている。反射鏡固定具４２には、上記鍔部３３が入り込み、反射鏡３４の回転に伴って鍔部３３が脱落不能に係合する、ねじ込み溝４２Ａが設けられている。反射鏡３４の固定時には、このねじ込み溝４２Ａに鍔部３３をねじ込むことで、別途に工具を用いることなく反射鏡３４を固定できる。また、反射鏡３４の鍔部３３も樹脂材で形成されており、ねじ込み溝４２Ａと鍔部３３の間にバネ力（弾性力）が働き、両者の結合力が高められている。
【００２６】
図９は反射鏡３４の分解斜視図である。
反射鏡３４は、図９に示すように、その基端部３５Ａから先端部３５Ｂの間で基端側パーツ３４Ｐａ、及び先端側パーツ３４Ｐｂに分割可能に構成されている。すなわち、反射鏡３４の基端側パーツ３４Ｐａから先端側パーツ３４Ｐｂを取り外して使用したり、或いは、先端側パーツ３４Ｐｂを異なった反射面のパーツに変えて使用したりすることで、この光源モジュール１２の配向パターンを簡単に変更可能になっている。
【００２７】
具体的には、この反射鏡３４は、反射面を鏡面処理した基端側パーツ３４Ｐａのみを使用した場合に、１／１０ビーム角が６２°の中角配光が得られるように構成されている（構成１）。この構成１の反射鏡３４に加え、前面カバー１４として光拡散効果を付与した型押カバーを併用することで、１／１０ビーム角が６３°の中広角配光が得られるように構成されている（構成２）。この構成２の反射鏡３４において、基端側パーツ３４Ｐａの反射面の処理を鏡面処理に代えて白色塗装（すなわち光拡散処理）とすることで、１／１０ビーム角が８７°の広角配光が得られるように構成されている（構成３）。
また、上記構成１の反射鏡３４に加え、反射面を鏡面処理した先端側パーツ３４Ｐｂを基端側パーツ３４Ｐａに取り付けることで、１／１０ビーム角が３８°の狭角配光が得られるように構成されている（構成４）。この構成４の反射鏡３４に加え、構成２と同様に、前面カバー１４として光拡散効果を付与した型押カバーを併用することで、１／１０ビーム角が４０°の狭中角配光が得られるように構成されている（構成５）。
【００２８】
これら基端側パーツ３４Ｐａへの先端側パーツ３４Ｐｂの固定は、その着脱を容易とするために、ネジ込み構造が用いられている。すなわち、基端側パーツ３４Ｐａの先端部にフランジ３７が設けられ、このフランジ３７の面内にスライド溝３９が設けられている。一方、先端側パーツ３４Ｐｂの基端部には、基端側パーツ３４Ｐａのフランジ３７と面で合わさるフランジ４１が設けられている。このフランジ４１にはスライド係止片４３が設けられており、このスライド係止片４３を基端側パーツ３４Ｐａのスライド溝３９に挿入し先端側パーツ３４Ｐｂを回転させることで、スライド係止片４３がスライド溝３９に脱落不能に係止され、両者が結合される。
【００２９】
前掲図７に戻り、放熱部３６は、ＣＯＢ型ＬＥＤ３０からベースプレート３２に伝えられた熱を放熱する放熱機構である。具体的には、放熱部３６は、複数枚の放熱フィン４８と、ベースプレート３２に伝えられたＣＯＢ型ＬＥＤ３０の熱を放熱フィン４８に伝える複数本のヒートパイプ５０とを備えている。
放熱フィン４８は、略矩形状の板材であり、熱伝導性に優れ軽量な金属材であるアルミニウム板で形成されている。多数枚の放熱フィン４８を上記ヒートパイプ５０のそれぞれが貫通し、これらの放熱フィン４８が互いに所定間隔をあけるように積層して一体に束ねられている。これら放熱フィン４８は、図８に示すように、支持金具４９によって、ベースプレート３２の裏面３２Ｂから垂直に延びるように配置される。支持金具４９は、放熱フィン４８とベースプレート３２の裏面３２Ｂとの間に所定の隙間δを設けて支持し、この隙間δを通じて裏面３２Ｂと放熱フィン４８を空気が流通可能となり、裏面３２Ｂの熱溜まりが抑制される。なお、筐体１０から延出する方向の放熱フィン４８の長さ、及び枚数については、必要な放熱性能に応じて決定される。
【００３０】
ヒートパイプ５０は、内部に作動液を封入した管体であり、略コ字状に折り曲げ成形されている。すなわち、ヒートパイプ５０は、図７に示すように、ベースプレート３２の裏面に沿って延びる一端部５０Ａと、各放熱フィン４８を貫通する貫通部（図示せず）と、一端部５０Ａ及び貫通部を連結する直線部５０Ｂ（図８）とを一体に備えている。ここで、放熱フィン４８が筐体１０の背面１５から延出することから、筐体１０の近傍、及び遠方の両方にベースプレート３２の熱を伝えるように、幾つかのヒートパイプ５０は直線部５０Ｂの長さが異なっている。
ベースプレート３２の裏面３２Ｂには、複数のパイプ溝５１が設けられており、それぞれのパイプ溝５１にヒートパイプ５０の一端部５０Ａを通すことで、ベースプレート３２にヒートパイプ５０が入り込み、効率的に熱が回収される。
ベースプレート３２の裏面３２Ｂには上記支持金具４９が備えるプレート部４９Ａがパイプ溝５１の開放部分を覆って取り付けられ、これにより、各ヒートパイプ５０の一端部５０Ａがパイプ溝５１から脱落不能にされる。
【００３１】
図１０は筐体１０の背面側の構成を背面ガード部材７とともに示す斜視図である。
上記光源モジュール１２は、筐体１０の中に全体が収められるのではなく、図１０に示すように、筐体１０の背面１５に係合孔５４を設け、前掲図４に示すように、ベースプレート３２を係合孔５４に係合させ、放熱部３６を筐体１０の外に露出させて取り付けられる。
このとき、前掲図８に示すように、ベースプレート３２の縁部５６には、その全周を覆う上述した絶縁パッキン３８が装着されている。この絶縁パッキン３８は、筐体１０の背面１５とベースプレート３２の表面３２Ａの接触面の全面に介在することで、係合孔５４からの浸水が防止されるのに加え、両者の電気的絶縁が確保される。
【００３２】
すなわち、ＣＯＢ型ＬＥＤ３０を載置したベースプレート３２と筐体１０との間が絶縁パッキン３８によって電気的に絶縁されるので、例えば耐電圧試験時に筐体１０に高電圧が印加された場合でも、ベースプレート３２を通じてＣＯＢ型ＬＥＤ３０に過電圧が印加されることがない。これにより、上述のように、放熱性が高い金属材から成るベースプレート３２にＣＯＢ型ＬＥＤ３０を直接取り付けることが可能となり、ＣＯＢ型ＬＥＤ３０の発熱を効率良くベースプレート３２に伝え、放熱部３６から放熱させることができるのである。
また、ベースプレート３２を係合孔５４に係合させる構成であるため、その裏面３２Ｂが筐体１０の外側に露出し、放熱部３６が筐体１０の外側に配置される。これにより、放熱部３６の熱を効率良く外気に放熱することができ、高い冷却性能が得られることとなる。
【００３３】
ただし、屋外設置のスポーツ照明器具１では、放熱部３６が風雨に曝され、何ら対策を施さなければ腐食等が生じる。そこで、このスポーツ照明器具１では、放熱部３６の全表面に耐食性皮膜が形成されており、その耐食性が高められている。この耐食性皮膜の形成には、電着塗装やアルマイト処理等の各種の表面処理が用いられ得るが、この実施形態では、黒色粉体の電着塗装が用いられている。放熱部３６の表面処理は、ベースプレート３２に放熱部３６を組み付けた状態で行われる。すなわち、放熱フィン４８が組み付けられたヒートパイプ５０の一端部５０Ａをベースプレート３２の上記パイプ溝５１に通し、支持金具４９のプレート部４９Ａでパイプ溝５１の開放部を閉じた状態で上記表面処理を行う。
【００３４】
図１１は、パイプ溝５１とヒートパイプ５０の係合構造の説明図である。
ヒートパイプ５０の一端部５０Ａは、図１１（Ａ）に示すように、断面略円形状を成し、パイプ溝５１への挿入前には、図１１（Ｂ）に示すように、径方向に押し潰されて断面略楕円形状に成される。このように断面略楕円形状とすることで、パイプ溝５１の断面５１Ａを例えば矩形状であっても、ヒートパイプ５０の一端部５０Ａの外周面５０Ａ１とパイプ溝５１の接触面積を断面円形状のままに比べて増やすことができる。
【００３５】
しかしながら、上記表面処理においては、ヒートパイプ５０の一端部５０Ａにも熱が加えられることで一端部５０Ａが、図１１（Ｃ）に示すように、径方向に若干拡がるように熱変形し、何ら対策を施さなければ、この熱変形によって、ヒートパイプ５０の一端部５０Ａの外周面５０Ａ１とパイプ溝５１の間に隙間が生じ、大きな熱抵抗が生じる。
また一端部５０Ａの断面が熱変形によって断面円形状まで戻るのであれば、この円形状に合わせてパイプ溝５１の断面５１Ａを予め形成することで、熱変形後に両者を密着させることができるものの、熱変形後に断面円形状まで戻ることは無い。
そこで、このスポーツ照明器具１では、図１１（Ｃ）に示すように、パイプ溝５１の断面５１Ａの形状を、表面処理に伴うヒートパイプ５０の一端部５０Ａへの加熱によって生じた熱変形後の外周面５０Ａ１の形状に合わせて予め形成することとしている。これにより、パイプ溝５１にヒートパイプ５０の一端部５０Ａの外周面５０Ａ１を、表面処理に伴う熱変形後に多分に密着させることができ、ベースプレート３２からヒートパイプ５０に効率良く熱が伝えられる。
【００３６】
ところで、スポーツ照明器具１を球技場に設置した場合、球技で用いられるボール等が衝突する場合がある。特に、このスポーツ照明器具１では、複数の反射鏡３４の各々を、その基端部３５Ａを各個に筐体１０に結合して支持し、かつ各々の反射鏡３４を樹脂材から形成して軽量化を図った構成としている。このため、各々の反射鏡３４を金属材から形成した場合に比べ、器具本体２に衝撃が加わった際に反射鏡３４の各々が振れ易い。特に、それぞれの反射鏡３４がランダムに振れると、相互間の位置ズレが生じ、器具本体２の配向特性にズレが生じてしまう。
そこで、このスポーツ照明器具１では、次のようにして、衝撃に伴う反射鏡３４の位置ズレを防止している。
【００３７】
すなわち、このスポーツ照明器具１では、互いに別体の（すなわち互いに独立した）反射鏡３４の各々を同一寸法形状に形成することで、少なくとも、基端部３５Ａから先端部３５Ｂまでの高さＬ（図８）と、先端部３５Ｂの先端開口６０の径Ｒ（図８）とを各々等しくする。そして、図２（Ａ）に示すように、これらの反射鏡３４を、先端開口６０が互いに当接するように円Ｄの円周に沿って等間隔に配列し、その位置で基端部３５Ａ（より正確にはベースプレート３２）を筐体１０に結合して支持する構成としている。
この構成によれば、器具本体２に衝撃が加わり、各々の反射鏡３４が基端部３５Ａを支点に振れたとしても、それぞれがランダムに振れ難くなることから、相互間の位置ズレの発生が抑えられる。
【００３８】
また、反射鏡３４を円Ｄの円周上に等間隔に配置することから、筐体１０の背面１５にあっては、図４に示すように、それぞれの光源モジュール１２の放熱部３６が上下方向に延びる同一の直線上に揃うことなく、横方向に互いにズレて配置される。すなわち、スポーツ照明器具１を水平面に対して背面１５を立てて設置した場合には、それぞれの放熱部３６が鉛直方向に延びる同一の直線上に揃うことがない。これにより、放熱部３６で暖められ上昇した熱気が、その放熱部３６の上方に位置する他の放熱部３６に与える影響が抑えられ、放熱性能の低下を防止できる。
【００３９】
このスポーツ照明器具１では、それぞれの反射鏡３４は、外周面に径方向に突出したフランジ３７、４１を備えることから、図２（Ａ）に示すように、それぞれの反射鏡３４のフランジ３７、４１を板状の連結体６５で連結している。これにより、衝撃等により各反射鏡３４が振れる際には、連結体６５で連結された点が振れの支点となることから、支点が先端部３５Ｂにより近くなり、それぞれの反射鏡３４の先端部３５Ｂの振れ幅が抑えられる。
【００４０】
ここで、それぞれの反射鏡３４を上記連結体６５で連結する場合、各反射鏡３４の先端部３５Ｂの側である先端側パーツ３４Ｐｂのフランジ４１ではなく、基端部３５Ａの側である基端側パーツ３４Ｐａのフランジ３７同士を連結体６５で連結している。具体的には、フランジ３７には、図９に示すように、複数のボス６３が立設されており、いずれかのボス６３を連結体６５の位置決貫通孔６５Ａ（図１２（Ｂ））に貫通させることで、各々のフランジ３７が連結体６５に連結される。これにより、基端側パーツ３４Ｐａを筐体１０に固定したまま、先端側パーツ３４Ｐｂだけを回転させて簡単に着脱することができる。
【００４１】
ただし、各反射鏡３４の振れによる相互間の位置ズレは抑制されるものの、振れ自体が発生することで先端側パーツ３４Ｐｂが回転してしまい結合箇所に緩みが生じる、という問題がある。また、各反射鏡３４を連結体６５で連結していない場合には、当然に筐体１０に対して反射鏡３４が回転してしまい筐体１０と反射鏡３４の基端部３５Ａの結合にも緩みが生じる。
そこで、このスポーツ照明器具１では、図６に示すように、それぞれの反射鏡３４の先端開口６０の縁部６０Ａには、相互に係合する係合溝６６が全周に亘って設けられている。これにより、各反射鏡３４が振れた際には、それぞれの係合溝６６の係合によって各々の回転が抑えられることとなり、各反射鏡３４（本実施形態では先端側パーツ３４Ｐｂ）の結合の緩みが抑えられる。
【００４２】
図１２は、反射鏡３４と連結体６５の連結構造の説明図である。
反射鏡３４を筐体１０に組み付ける場合、上述のように、筐体１０の係合孔５４に取り付けたベースプレート３２の反射鏡固定具４２に、反射鏡３４の基端部３５Ａを結合して取り付けられる。この取付時には、図１２（Ａ）に示すように、それぞれの反射鏡３４の先端開口６０の縁部６０Ａの間には隙間αが設けられる。
【００４３】
筐体１０の底面略中央には、電力供給線の引込孔１７Ａが上記引込部１７に対応して設けられ、この引込孔１７Ａの上に連結体支持金具６７が設けられ、この連結体支持金具６７に上記連結体６５が固定される。
連結体６５を固定する際には、連結体支持金具６７へのネジ止めに先立って、図１２（Ｂ）に示すように、各々の反射鏡３４のフランジ３７のボス６３を連結体６５の位置決貫通孔６５Ａに通して連結する。この連結により、各反射鏡３４の先端開口６０が筐体１０の中心部に引き寄せられる。そして、連結体６５を連結体支持金具６７に２本のネジ６１で固定することで、各々の反射鏡３４の先端開口６０の縁部６０Ａ同士が接して係合溝６６同士が係合するように位置決めされる。
これにより、各反射鏡３４の先端開口６０が正確な位置に位置決めされ、かつ、衝撃が加わった際の各々の回転が係合溝６６同士の係合により防止される。
【００４４】
ところで、このスポーツ照明器具１は、屋外の球技場等に設置されることから、上述の通り、ボール等が衝突することがある。一般に、スポーツ照明用の器具では、ボール等の衝突から器具本体を保護し、前面カバーの破損等を防止するために、器具本体の前面（正面）がガード部材で覆われている。
これに対し、このスポーツ照明器具１では、前面カバー１４が耐衝撃性に優れたポリカーボネートで形成されているため、ボール等の衝突に対しても破損し難く、従来のようガード部材を不要としている。
【００４５】
ただし、このスポーツ照明器具１では、筐体１０には背面１５から突出する構造物２４として、複数の放熱部３６が設けられている。それぞれの放熱部３６は、上述の通り、アルミニウム等の金属板から成る放熱フィン４８を備えることから、ボール等の衝突によって容易に破損し易い。そこで、このスポーツ照明器具１では、筐体１０には、背面１５から突出した構造物２４を保護する上述した背面ガード部材７が設けられている。
この背面ガード部材７は、上述の通り、筐体１０の背面１５に取り付けられて構造物２４の周りを囲む筒状部７Ａと、この筒状部７Ａの開口端にヒンジ結合部９で結合されて筐体１０の背後方向に開閉自在な開閉部７Ｂと、を備えている。構造物２４の清掃等のメンテナンス時には、開閉部７Ｂを筐体１０の背後方向に開くことで、メンテナンス作業等が行えるようになっている。
【００４６】
しかしながら、屋外の球技場にあっては、観客席や通路を背にし、これらに近接した位置にスポーツ照明器具１が設置されることが多く、器具本体２の背後に大きな作業スペースを割けない場合がある。特に、開閉部７Ｂの開閉に要するスペースを割けない場合もあり、この場合、構造物２４のメンテナンスは容易ではなくなる。
そこで、このスポーツ照明器具１では、上述のように、開閉部７Ｂを筒状部７Ａの開口面に平行（すなわち、背後方向の開閉方向と略垂直方向）に移動させることで筒状部７Ａから取り外し可能に構成している。
【００４７】
図１３は、背面ガード部材７の開閉部７Ｂを開閉方向と略垂直な方向から取り外した状態を示す器具本体２の背面図である。
開閉部７Ｂは、上述の通り、ヒンジ結合部９によって筒状部７Ａに開閉自在に結合されており、このヒンジ結合部９は、前掲図３に示すように、複数の蝶番９Ａを備えている。この蝶番９Ａには、軸部７２が分割されて一対の蝶番片７０、７１が図１３に示すように抜き差し自在に構成された、いわゆる抜き差し蝶番（抜き蝶番とも呼ばれる）が用いられている。このとき、筒状部７Ａと開閉部７Ｂの結合が蝶番９Ａだけであると、器具本体２の設置姿勢によっては、開閉部７Ｂが抜け落ちてしまう。これに対して、この背面ガード部材７では、開閉部７Ｂが蝶番９Ａと対向する箇所でラッチ機構１３によって開閉不能に筒状部７Ａに係止されているため、開閉部７Ｂの抜け落ちが防止される。
【００４８】
このような構成により、器具本体２の背後に、開閉部７Ｂを開ける十分なスペースが無くとも、開閉部７Ｂを多少開けて、蝶番９Ａを抜くように軸部７２の軸方向（取り外し方向）に動かすことで、ヒンジ結合部９の蝶番９Ａが抜ける。これにより、開閉部７Ｂを軸部７２の軸方向から取り外すことができ、構造物２４のメンテナンスを容易に行うことができる。
【００４９】
特に、このスポーツ照明器具１の器具本体２を、屋内の天井面（例えば体育館の高天井面）から吊して設置した場合、器具本体２と天井面との間に開閉部７Ｂを開くのに十分なスペースを確保することが困難である。このような場合でも、このスポーツ照明器具１によれば、開閉部７Ｂを開閉方向と垂直な方向にスライド移動させて取り外し、構造物２４のメンテナンスが可能となる。
【００５０】
以上説明したように、本実施形態によれば、次のような効果を奏する。
すなわち、本実施形態のスポーツ照明器具１によれば、ＣＯＢ型ＬＥＤ３０のＬＥＤ基板３１が取り付けられたベースプレート３２が筐体１０の係合孔５４に一部（裏面３２Ｂ）を筐体１０の外に露出した状態で係合する構成とした。この構成により、ベースプレート３２に伝えられたＣＯＢ型ＬＥＤ３０の熱を外部に露出した箇所から放熱できる。
これに加え、ベースプレート３２と筐体１０の係合孔５４との接触箇所に電気絶縁材である絶縁パッキン３８を設け両者の電気的絶縁を確保した。これにより、ベースプレート３２にはＣＯＢ型ＬＥＤ３０を電気絶縁材を介在させることなく直接取り付けることが可能となる。
【００５１】
また本実施形態によれば、ベースプレート３２には、筐体１０の外側に係合孔５４から突出する放熱部３６を設ける構成とした。
この構成により、ＣＯＢ型ＬＥＤ３０からベースプレート３２に伝えられた熱を、このベースプレート３２から放熱部３６を通じて直接、外部に放熱することができ、高い冷却性能を得ることができる。
【００５２】
また本実施形態によれば、放熱部３６は、筐体１０の外側に配置された放熱フィン４８と、ＣＯＢ型ＬＥＤ３０の熱を放熱フィン４８に伝えるヒートパイプ５０と、を備える構成とした。この構成により、必要な放熱性能に応じた長さだけ放熱フィン４８を筐体１０から外側に延在させつつ、放熱フィン４８には、ヒートパイプ５０を通じてベースプレート３２の熱を効率良く伝えることができる。
【００５３】
またベースプレート３２は、ヒートパイプ５０が通るパイプ溝５１を備え、このパイプ溝５１の断面を、表面の耐食性を高めるための表面処理に伴うヒートパイプの加熱によって生じる熱変形によって当該ヒートパイプの外周面が密着する寸法形状とした。
これにより、ヒートパイプ５０に表面処理を施しても、ベースプレート３２とヒートパイプ５０の密着性を維持することができ、良好な放熱性能が確保される。
【００５４】
また本実施形態によれば、反射鏡３４のそれぞれを円周上に配列し、反射鏡３４のそれぞれの先端開口６０の縁部６０Ａが隣の反射鏡３４の先端開口６０の縁部６０Ａと当接状態を維持するように筐体１０に結合した。これにより、器具本体２に衝撃が加えられた場合であっても、個々の反射鏡３４がランダムに振れるのが抑えられるから、相互間の位置ズレが抑制される。
また特に反射鏡３４を樹脂材から形成した場合であっても、相互間の位置ズレを十分に抑えつつ、軽量な器具を構成できる。
【００５５】
また本実施形態によれば、反射鏡３４の基端部３５Ａを筐体１０（より正確には、筐体１０に取り付けられたベースプレート３２）にねじ込み式で結合し、反射鏡３４のそれぞれの先端開口６０の縁部６０Ａには、互いに係合して回転を抑える係合部たる係合溝６６を設ける構成とした。
【００５６】
また本実施形態によれば、筐体１０の背面１５には、円周上に配置された反射鏡３４のそれぞれに対応した位置に放熱部３６の放熱フィン４８が配置されるため、各々の放熱部３６の放熱フィン４８が同一直線上に配置されることがない。これにより、放熱部３６同士での熱的影響が抑制される。
【００５７】
また本実施形態によれば、器具本体２に設けた背面ガード部材７の開閉部７Ｂを開閉方向（背後方向）と略垂直な方向に取り外し自在に設けた。これにより、器具本体２の背後に、背面ガード部材７の開閉部７Ｂの開閉に必要な十分なスペースが無い場合でも、開閉方向と略垂直な方向から開閉部７Ｂを取り外すことができ、メンテナンス作業が容易となる。
【００５８】
特に、器具本体２の背面１５に放熱部３６を設けた場合でも、これを背面ガード部材７によって保護することができる。
したがって、屋内の天井面、又は屋外に設置されたスポーツ照明用の器具として用いた場合でも、ボール等の衝突から放熱部３６を背面ガード部材７で保護することができる。
【００５９】
なお、上述した実施形態は、あくまでも本発明の一態様を例示するものであって、本発明の趣旨を逸脱しない範囲で任意に変形、及び応用が可能である。
【００６０】
例えば、上述した実施形態において、スポーツ照明器具１を屋外に設置して使用する場合を例示したが、これに限らない。すなわち、スポーツ照明器具１の器具本体２を体育館や天井面から直下を照射するように固定して使用しても良い。
また本発明は、スポーツ用の照明器具に限らず、他の屋外、又は屋内の各種の照明に用いられる照明器具に適用できることは勿論である。特に、工場の天井面や壁面に据え付け設置され、作業車の衝突から照明器具を保護する必要がある照明器具にも好適に用いることができる。
【００６１】
また、上述した実施形態において、ＬＥＤの一例として、ＣＯＢ型ＬＥＤ３０を例示したが、これに限らず、任意のＬＥＤを用いることができる。また、発光素子としては、ＬＥＤの他に、有機ＥＬ等の任意の発光素子を用いることができる。
【符号の説明】
【００６２】
１  スポーツ照明器具（照明器具）
２  器具本体
１０  筐体
１２  光源モジュール
１５  背面
２３  出射口
３０  ＣＯＢ型ＬＥＤ（発光素子）
３１  ＬＥＤ基板
３１Ａ  発光部
３２  ベースプレート
３４  反射鏡
３４Ｐａ  基端側パーツ
３４Ｐｂ  先端側パーツ
３５Ａ  基端部
３５Ｂ  先端部
４８  放熱フィン
６０  先端開口
６０Ａ  縁部
６５  連結体
６６  係合溝（係合部）
【図１】
2014235821.tif 000003
【図２】
2014235821.tif 000004
【図３】
2014235821.tif 000005
【図４】
2014235821.tif 000006
【図５】
2014235821.tif 000007
【図６】
2014235821.tif 000008
【図７】
2014235821.tif 000009
【図８】
2014235821.tif 000010
【図９】
2014235821.tif 000011
【図１０】
2014235821.tif 000012
【図１１】
2014235821.tif 000013
【図１２】
2014235821.tif 000014
【図１３】
2014235821.tif 000015